(57)【特許請求の範囲】
【請求項１】
第１のケースと前記第１のケースの外形に対応した外形を有する第２のケースとが内部に被包装物を収める空間を形成して組み合わせ可能に構成された包装ケースにおいて、
前記第１のケースは、外縁部から外方に延出する複数の脚部と、前記脚部によって前記外縁部と連結された基部と、前記基部から延出する差し込み部と、前記複数の脚部間により形成された開口部と、を有する係止片部を備え、
前記第２のケースは、前記第１のケースと組み合わされた組み合わせ状態で前記差し込み部を差し込み可能なスリットと、前記組み合わせ状態で前記係止片部が当接する曲壁部と、を備え
前記開口部は前記組み合わせ状態で前記曲壁部と対応する位置に設けられていることを特徴とする包装ケース。
【請求項２】
前記基部には、前記基部の剛性を高くし、撓みにくくするリブが形成されていることを特徴とする請求項１に記載の包装ケース。
【請求項３】
前記第１のケースと前記第２のケースとは、ヒンジ部で一体的に連結されて前記ヒンジ部を中心に開閉可能に形成されていることを特徴とする請求項１又は２に記載された包装ケース。
【請求項４】
前記脚部の延出方向長さは、前記曲壁部の沿面距離よりも長いことを特徴とする請求項１〜３のいずれか１項に記載の包装ケース。
【発明の詳細な説明】
【技術分野】
【０００１】
本発明は、包装ケースに係り、特に、被包装物を第１及び第２のケースにより両側から覆って内部に収納する包装ケースに関する。
【背景技術】
【０００２】
透明の樹脂材で形成され、被包装物である商品を購買客から視認可能なように包装する包装ケースが多用されている。
この包装ケースは、具体的には、被包装物を、商品陳列状態で購買客側となる正面側と反対側の裏面側とからそれぞれ第１及び第２のケースで覆って内部に収納するものである。
その一例として透明材料で形成したクラムシェルパックがあって特許文献１に記載されている。
【０００３】
このような包装ケースが好適に適用できる被包装物の例として、ヘッドホン，ＰＣ用スピーカ、リモコンなどがある。
【先行技術文献】
【特許文献】
【０００４】
【特許文献１】特開２００４−０５１１３３号公報
【発明の概要】
【発明が解決しようとする課題】
【０００５】
クラムシェルパックは第１のケースと第２のケースとが開閉可能なよう両者の一部をヒンジ状に連結した包装ケースであるが、包装ケースがこのようなクラムシェルパックであっても、あるいは第１のケースと第２のケースとが別体で形成されている包装ケースであっても、被包装物（商品）を収納後の梱包工程の最終段階で両者を熱溶着して一体化するのが一般的である。
具体的には、第１及び第２のケースそれぞれの周縁にフランジ部を設けると共にそれらフランジ部同士を熱溶着して両ケースを一体化する。
【０００６】
しかしながら、省エネの観点からは包装ケースの繰り返し利用が望まれており、また、デザイン性の高い包装ケースの場合は、商品の保管ケースとして長く利用したい、というユーザ要望も生じている。
デザイン性を高くする例としては、包装ケースのフランジ部を無くし包装ケースの縁部に断面形状が例えば円弧状となる曲面部を設ける形態である。
換言するならば、包装ケースの外形において、少なくとも一部の出隅部にＲ付けが施されている形態である。
この形態は、フランジ部がなく包装ケースがコンパクトでスリムに（薄く）見えると共に購買客に対し柔らかな印象を与えるので、特に女性向けの商品には好適である。
このような形態においても、包装ケースを破壊せずに商品の取り出しと収納とを繰り返し行える包装ケースは望まれている。
【０００７】
そこで、本発明が解決しようとする課題は、被包装物を第１及び第２のケースで両面側から覆うよう収めると共に、縁部にフランジ部がなく少なくとも一部の出隅部にＲ付けをしてデザイン性を向上させた包装ケースであっても、包装ケースを破壊せずに被包装物の取り出しと収納とを繰り返し行える包装ケースを提供することにある。
【課題を解決するための手段】
【０００８】
上記の課題を解決するために、本発明は手段として以下の構成を有する。
第１のケースと前記第１のケースの外形に対応した外形を有する第２のケースとが内部に被包装物を収める空間を形成して組み合わせ可能に構成された包装ケースにおいて、
前記第１のケースは、外縁部から外方に延出する複数の脚部と、前記脚部によって前記外縁部と連結された基部と、前記基部から延出する差し込み部と、前記複数の脚部間により形成された開口部と、を有する係止片部を備え、
前記第２のケースは、前記第１のケースと組み合わされた組み合わせ状態で前記差し込み部を差し込み可能なスリットと、前記組み合わせ状態で前記係止片部が当接する曲壁部と、を備え
前記開口部は前記組み合わせ状態で前記曲壁部と対応する位置に設けられていることを特徴とする包装ケース。
【発明の効果】
【０００９】
本発明によれば、包装ケースを破壊せずに被包装物の取り出しと収納とを繰り返し行える、という効果を奏する。
【図面の簡単な説明】
【００１０】
【図１】本発明の包装ケースの実施例を説明する二面図である。
【図２】本発明の包装ケースの実施例を用いてヘッドホンを包装した状態を示す外観斜視図である。
【図３】本発明の包装ケースの実施例を閉じた状態を示す二面図である。
【図４】本発明の包装ケースの実施例における要部を説明するための図である。
【図５】本発明の包装ケースの実施例における変形例を説明するための部分的斜視図である。
【発明を実施するための形態】
【００１１】
本発明の実施の形態を、好ましい実施例などにより図１〜図５を用いて説明する。
【００１２】
図１は、実施例の包装ケース１を示す二面図（平面図及び下側面図）である。
包装ケース１は、例えば、樹脂シートを真空成形することにより形成される。
平均肉厚は例えば０．５ｍｍである。理解を容易にするため各図において示す肉厚は誇張して記載してある。
樹脂材料例として、ＰＥＴ（ポリエチレンテレフタレート）がある。
【００１３】
包装ケース１は、正面側となるＳケース１ｓと背面側となるＨケース１ｈとを有している。正面，背面及び方向の定義については後述する。
各ケースは、平面視で概ね矩形に形成されておりヒンジ部１ａにより連結されている。
ヒンジ部１ａには、ミシン目状の複数の溝１ａ１が形成され、Ｓケース１ｓ及びＨケース１ｈは、このヒンジ部１ａを中心に図１の矢印ＤＲ１方向に手などで開閉が可能となっている。
各ケースの更なる詳細については後述する。
なお、図１、図３、図４では、理解を容易にするため肉厚を示す破線を一部省略している。
【００１４】
図２は、包装ケース１によって被包装物であるヘッドホンＨＰを包装した状態を示す外観斜視図である。
ヘッドホンＨＰの包装において、ヘッドホンＨＰは、透明のトレイ３に保持されこのトレイ３と共に包装ケース１内に収納されている。トレイ３の外形は、包装ケース１の内部に形成される空間の上下方向断面内に収まるよう形成される。
この包装は、図２の手前側が商品陳列状態において購買者側となるようにデザインされているので、以下、便宜的に、図２の手前側を正面、奧側を背面とし、正面側から見た際の上下左右の各方向を図２の記載のように設定して説明する。
【００１５】
図１及び図２において、Ｓケース１ｓ及びＨケース１ｈは、それぞれ上方側にアーチ状に突出した突出部１ｓ１，１ｈ１を有する。
各突出部１ｓ１，１ｈ１には、商品陳列に際し、壁面などから水平方向に立設されたフック（図示せず）を通す為の開口部１ｂが形成されている。
開口部１ｂの近傍には、Ｓケース１ｓとＨケース１ｈとを閉じた際に強嵌合して両ケースを閉じた状態で保持する嵌合部１ｃが各ケース一対ずつ形成されている。
具体的には、Ｓケース１ｓの嵌合部１ｃは円筒状に突出し、Ｈケース１ｈの嵌合部１ｃはＳケース１ｓの嵌合部１ｃが強嵌合で嵌り込む寸法にて円筒状に陥没して形成されている。
【００１６】
Ｓケース１ｓは、所定面積の平坦面を有する平坦部１ｓ２と、平坦部１ｓ２の上下端から、平坦部１ｓ２に対して同方向にほぼ直立して設けられた壁部１ｓ３，１ｓ４と、平坦部１ｓ２の左右端から壁部１ｓ３，１ｓ４と同じ方向に立ち上がる曲面を有して形成された曲壁部１ｓ５，１ｓ６と、を有している。
【００１７】
Ｈケース１ｈは、所定面積の平坦面を有する平坦部１ｈ２と、平坦部１ｈ２の上下端から、平坦部１ｈ２に対して同方向にほぼ直立して設けられた壁部１ｈ３，１ｈ４と、平坦部１ｈ２の左右端から壁部１ｈ３，１ｈ４と同じ方向に立ち上がる曲面を有して形成された曲壁部１ｈ５，１ｈ６と、を有している。
【００１８】
包装ケース１においては、各曲壁部１ｓ５，１ｓ６，１ｈ５，１ｈ６の曲率は同じとされている。図１においては半径Ｒで示している。この曲率（半径）は必ずしもすべて同じでなくてもよく、適宜設定してよい。
この包装ケース１では、さらに左右の側面が曲壁部１ｓ５，１ｓ６，１ｈ５，１ｈ６のみで形成されるように半径Ｒが設定されている。
従って、Ｓケース１ｓ及びＨケース１ｈの高さＨｓ，Ｈｈ（図１参照）は、ほぼ半径Ｒと等しく設定されている。
【００１９】
図１において、平坦部１ｓ２と曲壁部１ｓ５との境界位置を、下側面図における点Ｐ１及び平面図における二点鎖線Ｌ１で示し、平坦部１ｓ２と曲壁部１ｓ６との境界位置を、下側面図における点Ｐ２及び平面図における二点鎖線Ｌ２で示している。
また、平坦部１ｈ２と曲壁部１ｈ５との境界位置を、下側面図における点Ｐ３及び平面図における二点鎖線Ｌ３で示し、平坦部１ｈ２と曲壁部１ｈ６との境界位置を、下側面図における点Ｐ４及び平面図における二点鎖線Ｌ４で示している。
【００２０】
Ｓケース１ｓは、その右側端部１ｓｍから右外方に延出するよう一体的に形成された係止片部５を備えている。
係止片部５は、上下方向に延材する基部５ｋと、基部５ｋと右側端部１ｓｍとを連結し左右方向に延在する脚部５ｆと、を有する。すなわち、係止片部５は、Ｓケースの右側端部１ｓｍから右外方に延出した脚部５ｆの先端に基部５ｋを形成する。
包装ケース１における脚部５ｆは、図１における上方側の上脚部５ｆ１と下方側の下脚部５ｆ２との一対とされている。
係止片部５には、右側端部１ｓｍと脚部５ｆ１と基部５ｋと下脚部５ｆ２とにより囲まれた開口部５ａが形成されている。
脚部５ｆ１，５ｆ２は、それぞれ、延在方向（図１の左右方向）の長さＬ５よりも幅方向（図１の上下方向）の長さＷ５の方が短く形成されている。例えばＬ５は約３０ｍｍ、Ｗ５は約１０ｍｍであり、脚部５ｆ１の下端部から、５ｆ２の上端までの長さＷ３０は約７８ｍｍである。また、Ｓケース１ｓ及びＨケース１ｈの上下方向の長さＨｔ（図１参照）は約１７５ｍｍである。
従って、脚部５ｆ１，５ｆ２は、Ｓケース１ｓの右側端部１ｓｍを中心として図１の矢印ＤＲ２方向に指などで容易に撓ませられるようになっている。
【００２１】
基部５ｋは、上脚部５ｆ１が連結された部位の上方向外側に延出してなるフラップ５ｋ１と、下脚部５ｆ２が連結された部位の下方向外側に延出してなるフラップ５ｋ２と、基部５ｋの右側端部から更に右方に突出するフラップ５ｋ３と、を備える。
また、基部５ｋは、上下方向に延在するリブ５ｂを有する。このリブ５ｂは、壁部１ｓ５，１ｓ６の突出方向と同じ方向に突出して形成されている。
また、リブ５ｂは、開口部５ａに対応した位置及び長さで形成されている。
【００２２】
係止片部５の基部５ｋは、リブ５ｂが形成されていることにより、その形成範囲において剛性が高く撓み難くなっている。
一方、フラップ５ｋ１〜５ｋ２は、リブ５ｂによって剛性が強化される部位ではない位置に設けられ、長手方向の長さに対して幅方向の長さが短く、指で容易に撓ませられるように形成されている。
【００２３】
Ｈケース１ｈは、平坦部１ｈ２において、三つの細長状のスリット１ｈ７〜１ｈ９を有している。
具体的には、スリット１ｈ７，１ｈ８は左右方向を長手とし、スリット１ｈ９は上下方向を長手とする。
スリット１ｈ７〜１ｈ９は、スリット１ｈ７にはフラップ５ｋ１が、スリット１ｈ８にはフラップ５ｋ２が、スリット１ｈ９にはフラップ５ｋ３が、それぞれ差し込み可能なように形成されている。
【００２４】
図３は、Ｓケース１ｓとＨケース１ｈとを閉じた状態の包装ケース１における、Ｈケース１ｈの平坦部１ｈ２側から見た平面図（背面図）と下側面図とを示している。
図４は図３の状態における包装ケース１の右側端部を部分表示した図であって、図４（ａ）及び図４（ｂ）は部分下側面図であり、図４（ｃ）は部分背面図である。
【００２５】
図３の下側面図でわかるように、包装ケース１は、曲壁部１ｈ５，１ｈ６，１ｓ５，１ｓ６により出隅部にＲ付けが施された形状となっている。
【００２６】
図３及び図４（ａ）に示すように、係止片部５は、指によって矢印ＤＲ３の方向に容易に撓ませられる程度の可撓性を有するように形成されている。
従って、係止片部５は、その脚部５ｆ（上脚部５ｆ１及び下脚部５ｆ２）を、図４（ｂ）に示すようにＨケース１ｈの曲壁部１ｈ５の外面に沿うように変形させることでＨケース１ｈの外面に沿わせることができる。
そして、その変形状態で、スリット１ｈ７〜１ｈ９にフラップ５ｋ１〜５ｋ３をそれぞれ差し込むことができるようになっている。
各スリット１ｈ７〜１ｈ９に各フラップ５ｋ１〜５ｋ３を差し込んだ状態を図４（ｃ）に示す。
【００２７】
各フラップ５ｋ１〜５ｋ３の各スリット１ｈ７〜１ｈ９への差し込みは、リブ５ｂによる剛性向上に抗する力を指により一時的に付与し、基部５ｋを変形させることで行う。
各スリット１ｈ７〜１ｈ９に各フラップ５ｋ１〜５ｋ３が差し込まれた後は、基部５ｋの剛性が高く変形し難いのでフラップ５ｋ１〜５ｋ３が容易にスリット１ｈ７〜１ｈ９から抜けてしまうことはない。
すなわち、包装ケース１は、係止片部５のフラップ５ｋ１〜５ｋ３のスリット１ｈ７〜１ｈ９への差し込みと嵌合部１ｃの強嵌合とにより、Ｓケース１ｓとＨケース１ｈとを閉じた状態（以下、閉状態とも称する）で維持される。
【００２８】
包装ケース１の閉状態において、係止片部５はＳケース１ｈの曲壁部１ｈ５を含む外面に沿って実質的に密着して保持されるので、包装ケース１の外観品位は高く維持される。
【００２９】
係止片部５は、その脚部５ｆの位置が、係止片部５を包装ケース１の外面に沿わせた際の曲壁部１ｈ５に対応した位置にあり、かつ、脚部５ｆの長手方向の長さＬ５が、曲壁部１ｈ５の外面の沿面距離ＬＥと同じかそれ以上の長さで形成されていればよい。実施例の包装ケース１の場合、沿面距離ＬＥは曲壁部１ｈ５の内面の半径をＲ（図１を参照），曲壁部１ｈ５の板厚をｔとすると、ＬＥ＝１／２（Ｒ＋ｔ）π  となるので、Ｌ５について、ＬＥ＝１／２（Ｒ＋ｔ）π≦Ｌ５  であればよい。
【００３０】
平面視での寸法関係を説明すると、図４（ｃ）に示すように、Ｓケース１ｈの端部ＨＴから曲壁部１ｈ５と平坦部１ｈ２との境界位置Ｌ３までの距離をＤａ（図１も参照）とし、Ｈケース１ｈの端部ＨＴから基部５ｋまでの距離Ｄｂとすると、Ｄａ≦Ｄｂ  であればよい。
【００３１】
上述のように、実施例の包装ケース１は、係止片部５に開口部５ａを設け、脚部５ｆを容易に撓めるよう複数の脚部５ｆ１，５ｆ２に分割しているので、上下脚部５ｆ１，５ｆ２が包装ケース１の外面に沿うように変形可能であり、係止片部５が突出することなく両ケース１ｓ，１ｈを閉状態で係止維持することができる。
これにより、包装ケース１は、その縁部にフランジ部がなく出隅部にＲ付けがなされていても閉状態で高い外観品位が維持され、繰り返しの開閉も容易に行える。
【００３２】
本発明の実施例は、上述した構成及び手順に限定されるものではなく、本発明の要旨を逸脱しない範囲において変形例としてもよいのは言うまでもない。
【００３３】
＜変形例＞
実施例の包装ケース１の変形例について図５を用いて説明する。
図５は、変形例である包装ケース１１の閉状態における係止片部５５近傍の斜視図である。
変形例の包装ケース１１は、Ｈケース１１ｈの高さＨｈに対し、曲壁部１１ｈ５の曲率半径Ｒ１が、Ｒ１＜Ｈｈとなっている例である。
従って、包装ケース１１の閉状態で、Ｈケースには、Ｈケース１１ｈとＳケース１１ｓとの合わせ部ＡＷから少なくとも距離Ｈａの範囲で平坦面部１１ｈｔｍが形成されている。
【００３４】
係止片部５５は、少なくともこの平坦面部１１ｈｔｍに沿う範囲において容易に撓める必要はないので、この範囲すべてに対応して開口部５５ａが形成されている必要がない。
変形例の包装ケース１１では、少なくとも距離Ｈａを越えない距離Ｈｂの範囲を、上脚部５５ｆ１と下脚部５５ｆ２とを連結する連結脚部５５ｒとしている。
【００３５】
包装ケース１における脚部５ｆは、２つの脚部５ｆ１，５ｆ２に分割されるものに限らない。３つ以上であってもよい。また、分割されてなく１つの脚部であっても、基部５ｋよりも幅が狭く形成され容易に撓めるようになっていればよい。
なお、脚部５ｆ１，５ｆ２と右側端部１ｓｍが連結する箇所に、屈曲を容易にするミシン目等を設けてもよい。
実施例では、係止片部５は、正面側となるＳケース１ｓと連結された例を示したが、背面側となるＨケース１ｈと連結されて正面側となるＳケース１ｓに設けたスリットに差し込み可能なように形成されていてもよい。
各部の寸法は一例であり、それに限定されない。
曲壁部１ｈ５は、断面の外形線が円弧状でなくてもよい。断面の外形線が凸方向の曲線であり、自由曲線，円弧，楕円，若しくは放物線など、又は、それらの組み合わせであってもよい。
【００３６】
Ｓケース１ｓとＨケース１ｈとは、ヒンジ部１ａで連結しているものに限らず、分離してそれぞれが独立しているものでもよい。
包装ケース１は、透明の樹脂材に限らない。光透過性樹脂材や光吸収性樹脂材、半透明や着色されていてもよい。
【符号の説明】
【００３７】
１，１１  包装ケース
１ａ  ヒンジ部
１ａ１  溝
１ｂ  開口部
１ｃ  嵌合部
１ｈ，１１ｈ  Ｓケース
１ｈ１  突出部
１ｈ２  平坦部
１ｈ３，１ｈ４  壁部
１ｈ５，１ｈ６，１１ｈ５  曲壁部
１ｈ７〜１ｈ９  スリット
１１ｈｔｍ  平坦面部
１ｓ，１１ｓ  Ｈケース
１ｓ１  突出部
１ｓ２  平坦部
１ｓ３，１ｓ４  壁部
１ｓ５，１ｓ６  曲壁部
１ｓｍ  右側端部
３  トレイ
５  係止片部
５ａ，５５ａ  開口部
５ｂ  リブ
５ｆ  脚部
５ｆ１，５５ｆ１  上脚部
５ｆ２，５５ｆ２  下脚部
５ｋ  基部
５ｋ１〜５ｋ３  フラップ
５５ｒ  連結脚部
ＨＰ  被包装物（ヘッドホン）
ＬＥ  沿面距離
【図１】
0005333469.tif 000002
【図３】
0005333469.tif 000003
【図４】
0005333469.tif 000004
【図５】
0005333469.tif 000005
【図２】
0005333469.tif 000006